(57)【特許請求の範囲】
【請求項１】
パチンコ球が連続して供給される供給通路と、円筒体の周面に螺旋溝を刻設した円筒カムと、前記円筒カムを回転させる駆動モータと、前記供給通路の終端と連通し、かつ前記円筒カムの軸と平行に設けられるパチンコ球の排出通路とを有し、
前記供給通路の終端部分を前記円筒カムの周面に向けて屈曲形成すると共に、前記円筒カムの周面と該周面に対向する排出通路の側壁との間隔をパチンコ球の直径よりも小さく設定し、他方、前記円筒カムの螺旋溝の溝底と該溝底に対向する排出通路の側壁との間隔をパチンコ球の直径よりも大きく設定し、
前記供給通路の最先端のパチンコ球を前記円筒カムの周面に当接させて待機させ、前記円筒カムが回転すると前記最先端のパチンコ球が前記円筒カムの螺旋溝に受け入れられて下方に移動し、さらに前記円筒カムの回転により後続するパチンコ球と前記最先端のパチンコ球とが分離した後、前記最先端のパチンコ球が排出通路から排出されるように構成したことを特徴とするパチンコ球の払出装置。
【請求項２】
円筒カムの円筒体の周面に２本の螺旋溝を軸線方向に等間隔で刻設したことを特徴とする請求項１記載のパチンコ球の払出装置。
【請求項３】
排出通路の下端出口部にパチンコ球を検出する通過スイッチを設けたことを特徴とする請求項１記載のパチンコ球の払出装置。
【発明の詳細な説明】
【０００１】
【産業上の利用分野】
本発明は、パチンコ遊技機における景品球の払い出しやパチンコ遊技において使用する貸球を払い出すパチンコ球の払出装置に関するものである。
【０００２】
【従来の技術】
従来、パチンコ遊技に適用されるパチンコ球の払出装置としては、パチンコ球が連続して供給される球通路に周面が螺旋状に形成されたリードスクリューを設け、該リードスクリューを駆動モータにより回転させてパチンコ球を１個ずつ排出するようにしたものが知られている（例えば特開平４−５８９７２号公報参照）。
【０００３】
【発明が解決しようとする課題】
従来の技術で述べたパチンコ球の払出装置にあっては、球通路で待機しているパチンコ球の球圧を直接リードスクリューの羽根で受け止めるようになっているので、駆動モータに大きな負荷が掛かるという問題点があった。
【０００４】
また、パチンコ球を受け止めるリードスクリューの羽根の斜面によつてリードスクリューに回転力が付与されることになるため、スクリュー回転に慣性力が働き駆動モータの動作精度に支障が生じるという問題がある。このような問題を解決するためには、駆動モータの大型化および歯車による減速機構やストップ機構の設置等が必要とされ、どうしても装置全体が大型になったりコストが高くつくという問題点があった。
【０００５】
本発明は、従来技術の有するこのような問題点にかんがみてなされたものであり、その目的とするところは、駆動モータに掛かる負荷を減少すると共に、製作が容易でコストダウン並びに小型化を図ることができるようなパチンコ球の払出装置を提供することにある。
【０００６】
【課題を解決するための手段】
上記目的を達成するために本発明のパチンコ球の払出装置は、パチンコ球が連続して供給される供給通路と、円筒体の周面に螺旋溝を刻設した円筒カムと、該円筒カムを回転させる駆動モータと、前記供給通路の終端と連通し、かつ円筒カムの軸と平行に設けられるパチンコ球の排出通路とを有し、前記円筒カムは、供給通路の最先端のパチンコ球を周面に当接して待機させると共に、円筒カムの回転により供給通路の最先端のパチンコ球を螺旋溝と排出通路との間の間隔に受け入れて下方に移動させるようになつており、さらに円筒カムの回転により後続するパチンコ球を周面に当接させて該後続のパチンコ球と最先端のパチンコ球とを分離させた後、最先端のパチンコ球を排出通路から排出するようにしたものである。
【０００７】
上記円筒カムの螺旋溝は、１本でもよいが高速化を達成するためには円筒体の周面に２本の螺旋溝を軸線方向に等間隔で刻設することが効果的である。
【０００８】
また、パチンコ球の排出個数をカウントする検出方法としては種々考えられるが、排出通路の下端出口部にパチンコ球を検出するための通過スイッチを設けることが好ましい。
【０００９】
【作用】
供給通路に連続して供給される最先端のパチンコ球は円筒カムの周面に当接して待機し、円筒カムが回転することにより最先端のパチンコ球が後続のパチンコ球に押されて螺旋溝と排出通路との間の間隔に受け入れられて下方へ移動する。そして、さらに円筒カムが回転すると後続のパチンコ球が円筒カムの周面に当接して待機させられ、一方、最先端のパチンコ球は後続のパチンコ球と分離されて排出通路から排出される。
【００１０】
このように供給通路に連続して待機するパチンコ球の球圧は常に円筒カムの周面で受けられて該円筒カムの軸線方向と直交する方向に作用することになるので駆動モータに掛かる負荷が減少する。このため、小型モータの使用が可能となって装置全体を小型化することができると共に、円筒カムの回転がスムーズに行われる。
【００１１】
【実施例】
以下、本発明の一実施例について図面を参照して説明する。図１は本発明に係るパチンコ球の払出装置が適用されるパチンコ機の裏面図である。なお、この場合の払出装置は景品球の払出装置として使用されるものである。図１において、１はパチンコ機の前面枠、２は前面枠１の裏面に取付枠３を介して着脱自在に装着される遊技盤、４は遊技盤２の裏面に開閉可能に装着される合成樹脂製の機構板であって、この機構板４の遊技盤２裏面と相対する前面下部に入賞球集合部５が形成されている。この入賞球集合部５は入賞球を一列に整列して流下させるようになっており、その流下通路の途中に入賞球検出器７が設けられている。この入賞球球検出器７からの信号は図示しない制御回路に送られて後述するパチンコ球の払出装置８の動作を制御する。
【００１２】
一方、機構板４の裏面上部には景品球としてのパチンコ球を貯留する球タンク９が設けられ、該球タンク９の下方にパチンコ球を整列して流下させる誘導樋１０が設けられている。また、誘導樋１０の下流端に垂直状の供給樋１１が連設され、この供給樋１１の流下端にパチンコ球の払出装置８が接続される。さらに払出装置８の下方には払い出されたパチンコ球を機前の球受皿に導く排出樋１２が設けられている。
【００１３】
次に、図２ないし図５を参照して本実施例に係るパチンコ球の払出装置８の構成について説明する。払出装置８は、図２および図３に示すように機構板４に取付ける箱状のケース体１３を有する。ケース体１３は一側が開口した右半体１３ａと左半体１３ｂとにより二分割して形成され、その右半体１３ａと左半体１３ｂとを通路構成部材１４を介在させて合体した後、ねじ止めして一体化される。
【００１４】
前記ケース体１３を構成する右半体１３ａと左半体１３ｂの上下ほぼ中間位置には水平な仕切壁１５ａ，１５ｂが形成され、両仕切壁１５ａ，１５ｂには合体によって円形孔１６が開設されるように半円状の切欠部１７ａ，１７ｂが形成されている。そして、両仕切壁１５ａ，１５ｂによって区画されるケース体１３の上部空間にモータ取付板１８を介して駆動モータとしてのステッピングモータ１９が取付けられ、そのモータ軸２０は円形孔１６からケース体１３の下部空間に突出して位置し、その突出端に円筒カム２１が固着されている。該円筒カム２１は円筒体２２の周面２２ａに２本の螺旋溝２３ａ，２３ｂを軸線方向に等間隔で刻設することにより構成されている。
【００１５】
前記通路構成部材１４は供給樋１１に連続する供給通路１４ａが形成され、該供給通路１４ａの終端と連通状に円筒カム２１の軸方向と平行な排出通路１４ｂが形成されている。供給通路１４ａの終端部分は円筒カム２１の周面２２ａに向けて円弧状に緩るやかに屈曲形成されており、これによって供給通路１４ａの最先端のパチンコ球が円筒カム２１の周面２２ａに当接して待機させられるようになっている。また、排出通路１４ｂの下端にはパチンコ球の通過スイッチ２４が設けられており、該スイッチ２４によりパチンコ球の排出を確認する。
【００１６】
前記円筒カム２１の螺旋溝２３ａ，２３ｂの溝巾は該円筒カム２１の回転により供給通路１４ａの最先端のパチンコ球を受け入れ可能なように該パチンコ球の直径より若干大きく形成されている。また、円筒カム２１の周面２２ａと該周面２２ａに対向する排出通路１４ｂの側壁１４１ｂとの間の間隔Ｌ（図５参照）はパチンコ球の直径より小さく形成されており、かつ螺旋溝２３ａ，２３ｂの溝底と排出通路１４ｂの側壁１４１ｂとの間の間隔Ｌ1 （図４参照）はパチンコ球の直径より若干大きく形成されている。さらに、螺旋溝２３ａ，２３ｂは円筒カム２１が１／２回転するごとに供給通路１４ａの最先端のパチンコ球を螺旋溝２３ａ又は２３ｂと排出通路１４ｂとの間の間隔Ｌ1 に受け入れて下方へ移動させると共に、後続するパチンコ球を周面２２ａで受けて最先端のパチンコ球と分離させた後、該最先端のパチンコ球を排出通路１４ｂから落下させるようにその形状が選ばれる。
【００１７】
以上、説明した実施例に係るパチンコ球の払出装置８の動作について図６を参照して説明する。なお、円筒カム２１の螺旋溝２３ａと２３ｂによるパチンコ球の払い出し動作は同じであるため、便宜上螺旋溝２３ａによるパチンコ球の払い出し動作について説明する。球タンク９のパチンコ球は誘導樋１０、供給樋１１を介して払出装置８の供給通路１４ａに連続的に供給され、図６（ａ）に示すようにその最先端のパチンコ球Ｂが円筒カム２１の周面２２ａに当接して連続状態で待機している。
【００１８】
この状態で入賞球検出器７が入賞球を検出すると、その検出信号に基づいてステッピングモータ１９が回転を開始し、同時に円筒カム２１が回転する。この円筒カム２１の回転により供給通路１４ａの最先端のパチンコ球Ｂが図６（ｂ）に示すように後続するパチンコ球により螺旋溝２３ａと排出通路１４ｂとの間の間隔Ｌ1 に押し出され、円筒カム２１の回転に従って排出通路１４ｂを下方へ移動する。
【００１９】
そして、この図６（ｂ）の状態からさらに円筒カム２１が回転すると図６（ｃ）に示すように後続するパチンコ球Ｂ1 が周面２２ａに当接して供給通路１４ａ内で待機させられることになる。これによつて、最先端のパチンコ球Ｂは後続のパチンコ球Ｂ1 と分離された状態で下方への移動を続け、図６（ｄ）に示すように円筒カム２１が１／２回転したとき通過スイッチ２４で検出されながら排出通路１４ｂから排出される。なお、後続のパチンコ球Ｂ1 は円筒カム２１の螺旋溝２３ｂにより最先端のパチンコ球Ｂと同じように円筒カム２１の１／２回転で排出通路１４ｂから排出される。
【００２０】
このように円筒カム２１が１／２回転するごとに供給通路１４ａ内で連続して待機するパチンコ球が１個ずつ排出されるものであるから高速払い出しが可能となる。また円筒カム２１の回転により排出通路１４ｂを下方へ移動するパチンコ球は螺旋溝２３ａにより排出される直前まで支持されることになるため、通過スイッチ２４を通過する際のスピードが減速されて該通過スイッチ２４に確実に検出される。そして、所定数のパチンコ球の排出が通過スイッチ２４で確認されるとステッピングモータ１９の駆動を停止させるもので、これによって入賞球検出器７の検出信号ごとに所定数のパチンコ球が正確に払い出されることになる。
【００２１】
なお、本実施例では、円筒カム２１に２本の螺旋溝２３ａ，２３ｂを設け、円筒カム２１の１／２回転で１個のパチンコ球を排出するように構成したが、例えば円筒カム２１に１本の螺旋溝を設け、円筒カム２１の１回転で１個のパチンコ球を排出する構成としてもよい。
【００２２】
【発明の効果】
以上、説明したところから明らかなように、本発明に係るパチンコ球の払出装置は、供給通路で連続して待機しているパチンコ球の球圧を常に円筒カムの周面で受けるようにしたので、円筒カムを回転する駆動モータに掛かる負荷を減少することができ、これによつて小型モータの使用が可能となつて装置全体を小型化することができる。
【図面の簡単な説明】
【図１】本発明のパチンコ球の払出装置が適用されるパチンコ機の裏面図である。
【図２】本発明の一実施例に係るパチンコ球の払出装置の斜視図である。
【図３】図２の分解斜視図である。
【図４】図２の要部縦断側面図である。
【図５】図２の要部横断平面図である。
【図６】（ａ）〜（ｄ）は本実施例の動作説明図である。
【符号の説明】
１４ａ            供給通路
１４ｂ            排出通路
１９              駆動モータ
２１              円筒カム
２２              円筒体
２２ａ            周面
２３ａ，２３ｂ    螺旋溝
Ｌ1               間隔
【図１】
0003719726.tif 000002
【図２】
0003719726.tif 000003
【図３】
0003719726.tif 000004
【図４】
0003719726.tif 000005
【図５】
0003719726.tif 000006
【図６】
0003719726.tif 000007